(57)【要約】      （修正有）【課題】外周基礎の輻射熱による床下の温度低下を可能な限り防止し、冬期の暖房効率を改善することが出来る寒冷地住宅の基礎構造を提供する。【解決手段】木造住宅の下部を支える外周基礎１１と張出基礎１４、およびスラブコンクリート床面によって構成する寒冷地住宅の基礎を技術的前提として、外周基礎１１の床下１２側の全周に、コンクリートの輻射熱を遮断する遮熱材２０を配する。遮熱材２０は、外周基礎１１の全周にわたって、下端から上端まで配設する（請求項１）。発泡樹脂系の断熱材に代え、または断熱材とともに、外周基礎１１の床下１２側（内周面）に、輻射熱（電磁波として放出される放射熱）を遮断する遮熱材を配設すると、輻射熱は当該遮熱材によって反射されるため、床下１２の空気は輻射熱によって冷却されることがない。【選択図】図１
0003220538.tif 000002
【実用新案登録請求の範囲】
【請求項１】
木造住宅の下部を支える外周基礎と張出基礎、およびスラブコンクリート床面によって構成する寒冷地住宅の基礎において、
前記外周基礎の床下側の全周に、
コンクリートの輻射熱を遮断する遮熱材を配し、
この遮熱材は、
前記外周基礎の全周にわたって、下端から上端まで配設することを特徴とする寒冷地住宅の基礎構造。
【請求項２】
遮熱材は、
コンクリートの輻射熱を反射するシート材であり、
少なくとも一方の表面にアルミニウム膜材を備え、
他方の表面に、アルミニウム膜材または不織布膜材を備え、
これらの表面膜材の間に、
ポリエチレン系の肉薄シート材を積層させてなることを特徴とする請求項１記載の寒冷地住宅の基礎構造。
【請求項３】
遮熱材を、
外周基礎から張り出す張出基礎の両側面の下端から上端にかけて配設し、
少なくとも、
外周基礎から張り出している部分のうち、
外周基礎の内周面から９０ｃｍ以上の範囲を、当該遮熱材によって被覆することを特徴とする請求項１または請求項２記載の寒冷地住宅の基礎構造。
【請求項４】
外周基礎または張出基礎を被覆する遮熱材の下端部を延設し、
スラブコンクリート床面を被覆させることを特徴とする請求項１〜請求項３記載の寒冷地住宅の基礎構造。
【考案の詳細な説明】
【技術分野】
【０００１】
本考案は、寒冷地住宅の基礎に係り、とくに冬期における暖房効率を向上させる技術に関する。
【背景技術】
【０００２】
図６に示すように、寒冷地における木造住宅は、コンクリート製の外周基礎１の内側（床下２側）に発泡樹脂系の断熱材３を設け、床下２の温度低下を防止する（特許文献１）。
【０００３】
外周基礎１の内側（床下側）に発泡樹脂系の断熱材３を設けるのは、寒冷地における冬期の暖房効率を向上させるためである。従って、外周基礎１には外気に連通する開口は設けない。４は、床下２のスラブコンクリート床面、６は土台、７は鉄筋、８は、床下２と一階居室の空気を流動させる換気小口、９は一階床の下地材である。
【０００４】
従来の基礎構造は、発泡樹脂系の断熱材３により、床下２の温度低下を防止することで暖房効率が高まり、冬期の暖房費用を抑えることが出来るため、寒冷地においては、このように床下２の気密性を高める住宅が主流になっている。
【先行技術文献】
【特許文献】
【０００５】
【特許文献１】特開２００１−２５４３５８
【特許文献２】特開平１０−０６１３６０
【特許文献３】特開平０７−３１７０１８
【考案の開示】
【考案が解決しようとする課題】
【０００６】
問題は、発泡樹脂材を用いた従来の基礎断熱では、外周基礎のコンクリートが生ずる輻射熱（冷気）を完全には遮断できない点にある。
【０００７】
その理由は、外周基礎（１）のコンクリートの輻射熱（冷気）は、電磁波として放出されるものであり、電磁波は、発泡スチロール等の樹脂系断熱材（３）によって貫通速度が遅延するけれども、時間の経過により、必ず貫通するからである。
【０００８】
このため、外周基礎（１）の内側（床下側）を発泡樹脂材（３）によって被覆しても、外気の冷熱（輻射熱）は、外周基礎（１）のコンクリートを冷却させた後、発泡樹脂材（３）を貫通して床下（２）の温度を低下させる。
【０００９】
床下（２）は、床下換気口（８）を介して一階居室等と連通させるので、一階居室等の暖気が床下に流入し続ければ、床下（２）の温度低下はある程度抑えることが出来る。
【００１０】
しかしながら、外周基礎（１）の輻射熱が床下（２）の温度低下を招くことに変わりはなく、暖房効率を損なう原因になる。
【００１１】
そこで、本考案の目的は、外周基礎（１）の輻射熱による床下（２）の温度低下を可能な限り防止し、暖房効率を改善することにある。
【課題を解決するための手段】
【００１２】
前記目的を達成するため、本考案に係る寒冷地住宅の基礎構造は、木造住宅の下部を支える外周基礎と張出基礎、およびスラブコンクリート床面によって構成する寒冷地住宅の基礎を技術的前提として、前記外周基礎の床下側の全周に、コンクリートの輻射熱を遮断する遮熱材を配し、この遮熱材は、前記外周基礎の全周にわたって、下端から上端まで配設する（請求項１）。
【００１３】
発泡樹脂系の断熱材に代え、または断熱材とともに、外周基礎の床下側（内周面）に、輻射熱（電磁波として放出される放射熱）を遮断する遮熱材を配設すると、輻射熱は当該遮熱材によって反射されるため、床下の空気は輻射熱によって冷却されることがない。
【００１４】
遮熱材は、コンクリートの輻射熱を反射するシート材であり、少なくとも一方の表面にアルミニウム膜材を備え、他方の表面に、アルミニウム膜材または不織布膜材を備え、これらの表面膜材の間に、ポリエチレン系の肉薄シート材を積層させて構成する場合がある（請求項２）。
【００１５】
遮熱材は、少なくとも一方の表面にアルミニウム膜材を備えるので、外周基礎等から放出される輻射熱（電磁波）は、アルミニウム膜材によって反射され、遮熱材を貫通して床下の空気を冷却させることがない。
【００１６】
遮熱材の内部構造は、ポリエチレン系の肉薄シート材を積層させることによって、輻射熱（電磁波）の伝達を遅延させ、また、現場作業の取り扱い時におけるアルミニウム膜材の破損防止の機能をもたせる。
【００１７】
遮熱材を、外周基礎から張り出す張出基礎の両側面の下端から上端にかけて配設し、少なくとも、外周基礎から張り出している部分のうち、外周基礎の内周面から９０ｃｍ以上の範囲を、当該遮熱材によって被覆する場合がある（請求項３）。
【００１８】
この請求項３は、外周基礎を介して冷却される張出基礎の遮熱を行うものである。外部冷気は、まず外周基礎を冷却させるが、次いで、外周基礎に接続する張出基礎も冷却されてゆく。
【００１９】
そこで、張出基礎の両側面に、遮熱材を下端から上端にかけて配設することによって、張出基礎の輻射熱による床下の空気冷却を防止する。
【００２０】
張出基礎の冷却範囲は、地域によって異なる。しかしながら、外周基礎から張り出している部分のうち、外周基礎の内周面から９０ｃｍ以上の範囲に遮熱材を配設すれば、設計上、輻射熱による床下の空気冷却は防止できる。
【００２１】
外周基礎または張出基礎を被覆する遮熱材の下端部を延設し、スラブコンクリート床面を被覆させる場合がある（請求項４）。
【００２２】
外周基礎、張出基礎の冷気が、スラブコンクリート床面を冷却させる可能性がある。
【００２３】
そこで、外周基礎、張出基礎に配した遮熱材の下端部を延設し、スラブコンクリート床面を、ある程度の範囲で被覆すれば、冷気伝達によって冷却されるスラブコンクリート床面の輻射熱（電磁波）による床下の温度低下を防止できる。
【考案の効果】
【００２４】
本考案に係る寒冷地住宅の基礎構造によれば、外周基礎等の輻射熱による床下の温度低下を防止し、暖房効率を改善することが出来る。
【図面の簡単な説明】
【００２５】
【図１】第一の実施形態に係る基礎構造を例示する平面図である。
【図２】本考案に係る遮熱材の外観を例示する図である。
【図３】本考案に係る遮熱材の内部構造を例示する部分断面図である。
【図４】第二の実施形態に係る基礎構造を部分例示する斜視図である。
【図５】第二の実施形態に係る基礎構造を例示する断面概略図である。
【図６】従来の基礎構造を示す断面概略図である。
【考案を実施するための形態】
【００２６】
図１は、本考案に係る寒冷地住宅の基礎構造（第一の実施形態）を例示するものである。この基礎構造は、木造住宅の下部を支える外周基礎１１と張出基礎１４、およびスラブコンクリート床面１５によって構成する寒冷地住宅の基礎を技術的前提として、外周基礎１１の床下１２側の全周に、コンクリートの輻射熱を遮断する遮熱材２０を配設する。遮熱材２０は、外周基礎１１の全周にわたって、下端から上端まで配設する。
【００２７】
また、遮熱材２０は、より好ましくは、外周基礎１１から張り出す張出基礎１４の両側面の下端から上端にかけて配設する。そして、外周基礎１１から張り出している部分のうち、外周基礎１１の内周面から適当範囲、好ましくは、９０ｃｍ以上の範囲を、当該遮熱材２０によって被覆する。１４−１は、張出基礎１４の一部に設けた、空気流動用の開口である。
【００２８】
遮熱材２０には、コンクリート製である外周基礎１１と張出基礎１４の輻射熱（とくに冷気放射熱）を反射させることによって、床下１２の空気の冷え込みを防止する機能を備えるシート状またはボード状の成形品を用いる。
【００２９】
コンクリート製である外周基礎１１と張出基礎１４が放出する輻射熱は、電磁波であるから、遮熱材２０は、電磁波を反射する素材、例えば、アルミニウムの肉薄材によって被覆したものを使用する。
【００３０】
遮熱材２０を可撓性のあるシート状の部材として、図２に示すように、ロール材の素材として成形する場合は、例えば、図３に示すように、樹脂系の肉薄材、好ましくはポリエチレン系の肉薄メッシュ材２１を積層させたシート本体２２の表面に、アルミニウムを蒸着させることによって、肉薄のアルミニウム膜材２５を設ける。２６は、樹脂膜（例えばポリエチレン膜材）である。遮熱材２０の肉厚（Ｗ）は、例えば、１〜２０ｍｍ程度とすることが望ましい。
【００３１】
アルミニウムは、外周基礎１１と張出基礎１４が放出する輻射熱（電磁波）を反射させる機能をもつが、肉薄の素材を単独で用いると破損しやすい。そこで、断熱性をもつポリエチレン系の肉薄メッシュ材２１を積層させた上で、表面（片側／両側）に、蒸着させたアルミニウム膜材２５を配する。
【００３２】
可撓性のある樹脂素材の積層構造（２２）を用い、表面（片側／両側）に蒸着させたアルミニウム膜材２５を設けると、取り扱いも容易となり、破損しにくい構造となる。
【００３３】
遮熱材２０をボード状の部材として成形する場合は、例えば、発泡樹脂製の板材（ボード材／パネル材；図示せず）に、図２、図３に例示するような遮熱材２０を取り付ける。
【００３４】
発泡樹脂製の板材、例えば、発泡スチロール、発泡ウレタン等は、冬期に冷却される外周基礎１１や張出基礎１４の冷気（輻射熱）を完全に遮ることは出来ないが、打設コンクリートに密着配置しやすい特性がある。
【００３５】
そこで、発泡樹脂製の板材に遮熱材２０を固定したボード状の遮熱部材（２０）を、外周基礎１１成形用、張出基礎１４成形用の型枠材に予め装着しておき、当該型枠材にコンクリートを打設し、養生することによって、ボード状の遮熱部材（２０）を、基礎（１１、１４）のコンクリート壁面に密着させて配設することが出来る。
【００３６】
かかる構成によれば、冬期、外周基礎１１および張出基礎１４がマイナス気温の外気によって冷却されても、冷却されたコンクリートが放出する輻射熱は遮熱材２０によって反射される。従って、外周基礎１１および張出基礎１４が放出する冷気による床下１２の空気の冷え込みは、確実に防止できる。発泡樹脂製の断熱材と異なり、遮熱材２０は輻射熱を透過させないからである。
【００３７】
マイナス１０℃を超える寒冷地では、張出基礎１４の両面に遮熱材２０を配設することが望ましい。厳しい冷気（外気）によって外周基礎１１が冷却されると、当該冷気が伝達により張出基礎１４をも冷却させるからである。
【００３８】
張出基礎１４が厳しく冷え込む範囲は、地域によっても異なるが、概ね、外周基礎１１の内周面から９０ｃｍ以上の範囲で遮熱材２０を配設すれば、床下１２の空気の冷え込みは防止できる。
【００３９】
降雪地であっても、真冬日の日数が少ない地域では、張出基礎１４の冷え込みが程度が軽い場合もある。このような地域では、外周基礎１１の内側にのみ遮熱材２０を配設する。張出基礎１４には、遮熱材２０を設ける必要はない。
【００４０】
図４は、第二の実施形態を示すもので、真冬日の日数が多い厳しい寒冷地における基礎構造を例示するものである。
【００４１】
この基礎構造は、外周基礎１１または張出基礎１４を被覆する遮熱材２０の下端部を延設し、スラブコンクリート床面１５を被覆させるものである。２８は、スラブコンクリート床面１５を被覆する部分の遮熱材である。
【００４２】
遮熱材２０の下端部の延設寸法は、冬期の平均気温にもよるが、例えば、２０〜５０ｃｍ程度とすることが望ましい。
【００４３】
スラブコンクリート床面１５を被覆する遮熱材（２８）は、立上部（外周基礎１１または張出基礎１４）に配する遮熱材２０とは異なり、必ずしもスラブコンクリート床面１５に密着接合させて配設しなくても良い。適宜手段、例えば、重り（ウェイト）を遮熱材２０の上の適当箇所に載置するだけでも、コンクリート（１５）の冷気（輻射熱）を遮断する効果を営むからである。
【００４４】
張出基礎１４に設けることがある空気流動用の開口１４−１の部分は、遮熱材２０を設けなくても良い。施工が煩雑になる一方で、当該部位から放出される冷気量は少ないからである。
【００４５】
図５に示すように、好ましくは、一階床の下地材１９の下部に、温水循環用のパイプ材３１を配し、当該パイプ材３１の下方に、アルミニウムシート材３２を配する。１８は、床下１２と一階居室の空気とを連通流動させる換気小口、１６は土台、１７は根太である。
【００４６】
かかる構成によれば、冬期の外気温が非常に厳しい寒冷地においても、床下１２の温度低下を防止できる。
【００４７】
立上部（外周基礎１１、張出基礎１４）を遮熱材２０によって被覆するとともに、スラブコンクリート床面１５を遮熱材２８によって被覆するので、冬期の外気Ｑによって外周基礎１１（および張出基礎１４）のコンクリートが冷却され、それに伴ってラブコンクリート床面１５が冷却されても、遮熱材２０、２８が輻射熱を反射して透過させないからである。
【００４８】
同時に、温水循環用のパイプ材３１による若干の暖房効果、換気小口１８を介した一階居室との空気循環による加温効果により、床下１２の空気温度は、厳冬期でも好ましい状態に維持される。
【００４９】
家屋内空気は、静音の小型ファン装置を介して常時換気を行うことが望ましい。静音の小型ファン装置による常時微量換気により、床下１２の空気は、空気流動用の開口１４−１、換気小口１８を介して常に流動し、好ましい温度で循環する。従って、床下１２の空気は常に新鮮で淀まず、カビが発生することもない。
【００５０】
本考案に適用できる遮熱材は、前記実施形態のものに限定されない。例えば、耐寒性、耐化学薬品性に優れるポリイミドフィルム（アルミ蒸着カプトン）、カーボンが練りこまれたカプトン膜にアルミ蒸着した膜材等を単独で、或いは、樹脂メッシュの多層膜材とともに使用する等である。
【符号の説明】
【００５１】
７  鉄筋
１０  木造住宅
１１  外周基礎
１２  床下
１４  張出基礎
１４−１  （空気流動用の）開口
１５  スラブコンクリート床面
１６  土台
１７  根太
１８  換気小口
１９  一階床の下地材
２０  遮熱材
２１  肉薄メッシュ材
２２  シート本体
２５  アルミニウム膜材
２６  樹脂膜
２８  （スラブコンクリート床面を被覆する）遮熱材
３１  （温水循環用の）パイプ材
３２  アルミニウムシート材
Ｑ  （冬期の）外気
Ｗ  （遮熱材の）肉厚
【図１】
0003220538.tif 000003
【図２】
0003220538.tif 000004
【図３】
0003220538.tif 000005
【図４】
0003220538.tif 000006
【図５】
0003220538.tif 000007
【図６】
0003220538.tif 000008